(57)【特許請求の範囲】
【請求項１】
レーザビームにより複数の解像度で画像情報に対応した静電潜像を感光体上に形成し、前記静電潜像を現像して顕画像を得る画像形成装置において、
一つの解像度に対して、レーザの出力を変化させて、前記感光体上に１ビットの網点画像からなる規定画素密度の画像パッチを作成し、該画像パッチを現像し、現像した前記画像パッチの濃度を検出し、検出した濃度情報に基づいて、規定画素密度の画像パッチが規定濃度となる前記レーザの第１出力を求め、別の解像度のレーザビームに対しては、求めた前記レーザの前記第１出力に対して、オフセット値を加減し、該オフセット値を加減した前記レーザの第２出力を求め、前記第１、第２出力をメモリに記憶し、前記解像度の一つで画像形成を行う場合に、前記メモリから選択して読み出した前記レーザの出力に基づいて前記レーザの出力を制御し、画像パッチ及び定常の画像を形成するレーザの出力調整手段を有することを特徴とする画像形成装置。
【請求項２】
レーザビームにより複数の解像度で画像情報に対応した静電潜像を感光体上に形成し、前記静電潜像を現像して顕画像を得る画像形成装置において、
一つの前記解像度に対して、レーザの出力を変化させて、前記感光体上に１ビットの網点画像からなる規定画素密度の画像パッチを作成し、前記感光体上の前記画像パッチの電位を検出し、検出した電位情報に基づいて、規定画素密度の画像パッチが規定電位となるレーザの第１出力を求め、別の前記解像度のレーザビームに対しては、求めた前記レーザの前記第１出力に対して、オフセット値を加減し、該オフセット値を加減した前記レーザの第２出力を求め、前記第１、第２出力をメモリに記憶し、前記解像度の一つで画像形成を行う場合に、前記メモリから選択して読み出した前記レーザの出力に基づいて前記レーザの出力を制御し、画像パッチ及び定常の画像を形成するレーザの出力調整手段を有することを特徴とする画像形成装置。
【請求項３】
前記規定画素密度の前記画像パッチは０．５程度の濃度を有することを特徴とする請求項１及び２のいずれか１項に記載の画像形成装置。
【発明の詳細な説明】
【０００１】
【発明の属する技術分野】
本発明はレーザ露光系を有する画像形成装置のレーザビームの出力を加減して解像度毎に安定した高品質の画像や任意の濃度条件の画像を得る画像形成装置に関する。また、解像度は長さ２５．４ｍｍ当たりに並ぶ判別可能なドット数で表し、この数をｄｐｉと定義する。
【０００２】
【従来の技術】
登録特許２７４６９４２号では、主走査ラインにおける基準パターン及び顕像化されないパターンの各レベル信号を感光体上で検出してその比を求め、その比の値がどのランクに属するかを演算して比較し、そのランクに応じてあらかじめ設定してある基準値との差を求め、ＬＤ（レーザダイオード）で出力されるレーザビーム１ラインの幅を補正するようにしてある。しかし、これには次のような欠点がある。
【０００３】
即ち、前記１ラインは走査線と走査線間の白地の部分とで白黒のラインペアを構成するが、そのラインペアでは、副走査方向の線幅は明確に検出することができるが、主走査方向の線幅（スポット幅）はスポットがライン上に連続的に繋がっておりその方向のスポット幅を検出することは実質的にできない。したがって、線幅を変えて濃度を補正することは正確にはできない。そして、線幅変更による濃度調節は、パルス幅変調方式（ＰＷＭ）、パワー変調の両方が可能としているが、上記の理由で精度的に不正確であり可成りの困難性を伴う。
【０００４】
また、特開平０７−２５０６３号では、複数のレーザを独立に奇数、偶数列に使い分けて駆動して、規定画像濃度を形成し、各レーザによる濃度を検出比較し、各レーザの出力レベルを合わせ込むように調整している。しかし、これには次のような欠点がある。
【０００５】
即ち、複数のレーザビーム出力の像の濃度を比較してパワーを合わせ込むことにより、レーザ個々の濃度を等しくすることは可能であるが、感光体の感度やトナーの物性等の諸条件が経時的に変わって行くと、実際に得られる画像濃度は変化してしまい、そのような経時的な変化を補正することはできない。
【０００６】
更に、特開昭６１−１８９５７５号では、中間調画像を作成する手段とそれを顕像化し、濃度をセンサで検出して、検出された濃度に対応してレーザ発光強度（レーザが発光ダイオードであるので、ＬＤ出力、ＬＤパワーともいう）を制御するようにしてある。しかし、これには次のような欠点がある。
【０００７】
即ち、作成される中間調は、パルス幅変調で形成され、その濃度をＬＤパワーを調整することで合わせるようにしてある。この場合、パルス幅変調で描かれた画像の中間調の濃度はＬＤパワーを加減させて補正できるが、パルス幅変調の最大値で作成されたドットに相当する、１ビットのドットで形成された高濃度部の画像の濃度は前述のＬＤパワーを変化させたことにより、所望の値とは違ったものに変化してしまう可能性が大きい。
【０００８】
【発明が解決しようとする課題】
本発明は、以上のような従来技術の欠点を排除し、特に、次のような点を解決した画像形成装置を提供することを課題目的にする。
【０００９】
（１）１ビット網点による画像は、画像パッチの網点パターンの密度で密度及び濃度が規定されているが、網点を構成するドット１個、１個の面積が画像形成毎に変化すると、中間調濃度が変化し、また、１枚当たりの画像を作成するためのトナーの消費量も変化してしまうので、このような現象が起こらないようにする。即ち、ドットの径を一定に制御することにより、１ビット網点による画像での中間調濃度の安定性やトナー消費量を一定にすることを可能にする。
【００１０】
（２）１ビット画像のドットの径は、感光体感度、書き込み系の調整ばらつきによって変化し、また経時的には、レーザ系の汚れ、現像剤の劣化等の変動要因により変化してしまうので、これらの影響が出ないようにする。
【００１１】
（３）書き込み系は４００ｄｐｉ／６００ｄｐｉ等解像度によって、レーザのドットの径が異なり、それぞれに最適化する必要があるので、その切り替えが円滑で正確に簡単にできるようにする。
【００１２】
（４）４００ｄｐｉ／６００ｄｐｉの解像度毎に、ドット径の制御を行なえば確実であるが、画像パッチを作成するに当たり、トナー消費量を抑えたい、補正に要する時間を節約したい等の要望があり、これを実現化するため、どちらか一方の補正のみを、感光体上に作成した画像パッチで行い、他方の修正は予め実験的に蓄積した前者の補正量との差分を入力することにより行えることも可能にする。
【００１３】
（５）更に、ドット径の値を一旦、一定にした上で、ユーザー等の使用上の要望や裁量でより太い文字画像や反対に細い文字画像、即ちトナーの消費量は増えても画像濃度が高いドット径の設定やトナー消費量を抑えたドット径の設定が簡単にできるようにする。
【００１４】
【課題を解決するための手段】
この目的は次の技術手段（１）〜（３）の何れかによって達成される。
【００１９】
（１）レーザビームにより複数の解像度で画像情報に対応した静電潜像を感光体上に形成し、前記静電潜像を現像して顕画像を得る画像形成装置において、
一つの解像度に対して、レーザの出力を変化させて、前記感光体上に１ビットの網点画像からなる規定画素密度の画像パッチを作成し、該画像パッチを現像し、現像した前記画像パッチの濃度を検出し、検出した濃度情報に基づいて、規定画素密度の画像パッチが規定濃度となる前記レーザの第１出力を求め、別の解像度のレーザビームに対しては、求めた前記レーザの前記第１出力に対して、オフセット値を加減し、該オフセット値を加減した前記レーザの第２出力を求め、前記第１、第２出力をメモリに記憶し、前記解像度の一つで画像形成を行う場合に、前記メモリから選択して読み出した前記レーザの出力に基づいて前記レーザの出力を制御し、画像パッチ及び定常の画像を形成するレーザの出力調整手段を有することを特徴とする画像形成装置。
（２）レーザビームにより複数の解像度で画像情報に対応した静電潜像を感光体上に形成し、前記静電潜像を現像して顕画像を得る画像形成装置において、
一つの前記解像度に対して、レーザの出力を変化させて、前記感光体上に１ビットの網点画像からなる規定画素密度の画像パッチを作成し、前記感光体上の前記画像パッチの電位を検出し、検出した電位情報に基づいて、規定画素密度の画像パッチが規定電位となるレーザの第１出力を求め、別の前記解像度のレーザビームに対しては、求めた前記レーザの前記第１出力に対して、オフセット値を加減し、該オフセット値を加減した前記レーザの第２出力を求め、前記第１、第２出力をメモリに記憶し、前記解像度の一つで画像形成を行う場合に、前記メモリから選択して読み出した前記レーザの出力に基づいて前記レーザの出力を制御し、画像パッチ及び定常の画像を形成するレーザの出力調整手段を有することを特徴とする画像形成装置。
（３）前記規定画素密度の前記画像パッチは０．５程度の濃度を有することを特徴とする前記（１）及び（２）のいずれか１項に記載の画像形成装置。
【００２６】
ここに本発明に用いるオフセットについて次のように定義する。
装置の複数の駆動状態のそれぞれに、検出手段により種々の要因変化に対する補正値が得られている場合、１つの駆動状態から他の駆動状態に転換するときには、前記検出手段によって予め得られている各補正値の差分をオフセット値として前記１つの駆動状態の補正値に入力することにより、所望の他の駆動状態への正確な補正転換が簡単に行えるようにする。その転換行為をオフセットと呼び、前記補正値の差分をオフセット値と呼ぶことにする。
【００２７】
また、解像度は長さ２５．４ｍｍ当たりに並ぶ判別可能なドット数で表し、この数をｄｐｉと定義する。
【００２８】
【発明の実施の形態】
本発明の画像形成装置の一実施例について、先ず、図１に示す概略構成図によって説明を行う。
【００２９】
図１に示す画像形成装置は、デジタル方式による画像形成装置であって、画像読取り部Ａ、画像処理部Ｂ、画像形成部Ｃ、転写紙搬送手段としての転写紙搬送部Ｄから構成されている。
【００３０】
画像読取り部Ａの上部には原稿を自動搬送する自動原稿送り手段が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【００３１】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【００３２】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルタ処理などの処理が施された後、画像データは一旦メモリに記憶される。
【００３３】
画像形成部Ｃでは、画像形成ユニットとして、ドラム状の感光体２１と、その外周に、帯電手段である帯電器２２、電位検出手段８５、現像手段である現像器２３、転写手段である転写器２４、分離手段である分離器２５、クリーニング手段２６、濃度検出手段８０及びＰＣＬ（プレチャージランプ）２７が各々動作順に配置されている。感光体２１は、光導電性化合物をドラム基体上に塗布形成したもので、例えば有機感光体（ＯＰＣ）が使用され、図示の時計方向に駆動回転される。
【００３４】
回転する感光体２１へは帯電器２２による一様帯電がなされた後、記録された画像処理部Ｂのメモリから呼び出された画像信号に基づいた像露光が、露光光学系３０によりレーザビームによって行われる。書込手段である露光光学系３０はレーザダイオード（ＬＤ）３６Ａを発光光源とし、回転するポリゴンミラー３１、ｆθレンズ３４、シリンドリカルレンズ３５を経て反射ミラー３２により光路が曲げられ主走査がなされるもので、感光体２１に対し、Ａｏの位置において像露光が行われ、感光体２１の回転（副走査）によって潜像が形成される。
【００３５】
感光体２１上の潜像は現像器２３によって反転現像され、感光体２１の表面に可視像のトナー像が形成される。転写紙搬送部Ｄでは、画像形成ユニットの下方に異なるサイズの転写紙Ｐが収納された転写紙収納手段としての給紙ユニット４１（Ａ）、４１（Ｂ）、４１（Ｃ）が設けられ、また側方には手差し給紙を行う手差し給紙ユニット４２が設けられていて、それらの何れかから選択された転写紙Ｐは案内ローラ４３によって搬送路４０に沿って給紙され、給紙される転写紙の傾きと偏りの修正を行うレジストローラ対４４によって転写紙Ｐは一時停止を行ったのち再び搬送され、搬送路４０、転写前ローラ４３ａ及び転写進入ガイド板４６に案内され、感光体２１上のトナー画像が転写位置Ｂｏにおいて転写器２４によって転写紙Ｐに転写され、次いで分離器２５によって除電されて転写紙Ｐは感光体２１面より分離し、搬送装置４５により定着器５０に搬送される。
【００３６】
定着器５０は定着ローラ５１と加圧ローラ５２とを有しており、転写紙Ｐを定着ローラ５１と加圧ローラ５２との間を通過させることにより、加熱、加圧によってトナーを熔着させる。トナー画像の定着を終えた転写紙Ｐは排紙トレイ６４上に排出される。
【００３７】
また、図２の感光体周りの正面図や図３の感光体周りの上面図に示すように、クリーニング手段２６としての導電性ポリウレタンを用いたクリーニングローラ２６Ｂやクリーニングブレード２６Ａが設けられていると共に、特定の解像度について濃度変化させた各画像パッチの平均濃度を検出する濃度検出手段８０又は電位検出手段８５が設けられている。
【００３８】
以下、本発明の大きな特色である、各解像度に応じた適正濃度を得るためのレーザ露光系のレーザビームの出力の調節手段について具体的に説明する。
【００３９】
本発明では、解像度毎にレーザビームの出力を加減調節し、図５の濃度−感度線図の中間の濃度になるようなパターンで、図６又は図７の模式図に示すような各解像度についての中間調の規定画素密度の画像パッチを感光体上に作成し、その現像濃度又は電位が規定濃度又は規定電位になるレーザビームの出力を求めることにより、感光体の感度変化やトナー物性の変化に影響されることのない適正濃度の画像が常に得られるようにしてある。
【００４０】
これを更に具体的に説明すると次のようになる。
［４００ｄｐｉ／６００ｄｐｉ個々に調整を行う場合］
（１）  ４００ｄｐｉにて、レーザビームの出力を変化させて、図６の模式図に示すような中間調の規定画素密度の画像パッチを複数（少なくとも２個）感光体２１上に作成する。そして感光体２１上への画像パッチの作成は、図８のプロセスの構成を示すブロック図で図示するように、画像処理部Ｂに記憶されている画像パッチがＣＰＵ９２とレーザビームの出力調節手段３６と書込手段（露光光学系）３０とで構成される画像パッチ作成手段９０によって感光体２１上に書き込まれ、現像手段としての現像器２３によって現像されることによってなされ、その濃度は濃度検出手段８０によって濃度検出される。
【００４１】
（２）  レーザビームの出力調節手段３６の出力の振り方は、レーザビームの出力可変幅の範囲で一定の出力間隔毎でも良いし、現在使用中の出力値（初期値）の前後の値でも良い。したがって、画像パッチもレーザビームの出力可変幅の範囲か、現在使用のレーザビームの出力値の周りで図８の矢印の５本の線で示すように５個程度感光体上に作成する。１個の画像パッチの大きさは、図６の模式図に示すように２０ｍｍ×３０ｍｍ程度で良い。
【００４２】
（３）  前記画像パッチは１ビットによる網点画像であり、この網点画像は、誤差拡散法、スクリーン法等適当な方法で作成する。これを予め、図８のプロセスに示すように、ＣＰＵ９２内の画像処理部Ｂに記憶させて置き、必要時にこれを取り出し、レーザビームの出力調節手段３６に入力して使用する。
【００４３】
（４）  作成する前記画像パッチは必ずしも孤立点でなくて良いが、ドットの重なり具合が小さい、一定密度のパッチとする。その画像パッチ濃度は０．５が良く、その濃度検知が感度良く検知できる濃度検出手段８０を具備することが望ましい。
【００４４】
（５）  濃度検出手段８０は、ドット個々の濃度を検出するのではなく、平均としての濃度を検出すれば良く、拡散光を利用したセンサが良い。
【００４５】
（６）  図２の正面図、図３の上面図及び図８のプロセスの構成を示すブロック図に示したように感光体上に作成した各画像パッチの濃度を前記濃度検出手段８０によって検出し、レーザビームの出力（スポット径）と画像濃度の関係が図４のレーザビーム出力と適性濃度の関係を表すグラフに示す４００ｄｐｉの画像パッチを用いたときの適正濃度となる濃度を自動的に選択する。このようにして、必要な適正濃度を得られるレーザビームの出力が決定できる。
【００４６】
（７）  決定したレーザパワーを４００ｄｐｉ用の不揮発性メモリ９３に格納する。
【００４７】
（８）  次に、図７の模式図に示すような規定画素密度の画像パッチを用いて６００ｄｐｉにて、同様に（１）〜（７）を行い、決定したレーザビームの出力を６００ｄｐｉ用の不揮発性メモリ９３に格納する。
【００４８】
（９）  ４００ｄｐｉ／６００ｄｐｉそれぞれの何れかが選択された場合、その選択された解像度の不揮発性メモリから出力値を選択して、画像パッチを感光体上に形成する。そして、一定コピー枚数毎、又は一定時間毎に自動で画像パッチを作成し、ＬＤの出力値を決める。これにより画像濃度は一層正確に保持される。
【００４９】
（１０）  レーザビームの出力を変化させて画像パッチを感光体上に作成した後、現像することなく、潜像の状態で図２の正面図、図３の上面図及び図８のプロセスを示すブロック図の２点鎖線内に示すように電位検出手段８５によって上記選択された解像度の画像パッチの静電電位を読みとり、それが規定電位となるように、レーザビームの出力を制御するようにしても良い。
［４００ｄｐｉの調整のみで６００ｄｐｉの補正を兼用する場合］
次の（１）〜（７）までは前項のそれに同じであるので、その骨子のみを述べる。
【００５０】
（１）  ４００ｄｐｉにてレーザパワーを変化させて、図６に示したような規定画素密度の画像パッチを複数（少なくとも１個）感光体上に作成する。
【００５１】
（２）  パワーの振り方は、レーザパワー可変幅の範囲で一定間隔毎でも良いし、現在使用中のパワー（初期値）の前後の値でも良い。したがって、画像パッチもレーザパワー可変幅の範囲か、現在使用の値のパワーの周りで５個程度作成する。作成の大きさは、２０ｍｍ×３０ｍｍ程度で良い。
【００５２】
（３）  １ビットによる網点画像を感光体上に作成する。網点画像は、誤差拡散法、スクリーン法等適当な方法で作成する。
【００５３】
（４）  作成する画像パッチは必ずしも孤立点でなくて良いが、ドットの重なり具合が小さい、一定密度の画像パッチとする。画像パッチの濃度は０．５程度であり、その濃度検知が感度良く検知できる濃度検出手段８０を具備することが望ましい。
【００５４】
（５）  濃度検出手段８０は、ドット個々の濃度を検出するのではなく、平均としての濃度を検出すれば良く、拡散光を利用したセンサがよい。
【００５５】
（６）  図２の正面図、図３の上面図及び図８のプロセスを示すブロック図に示したように感光体上に作成した画像パッチの濃度を前記濃度検出手段８０によって検出し、レーザパワーと画像濃度の関係が図４のグラフに示す４００ｄｐｉの画像パッチを用いたときの適正濃度となる濃度を選択する。このようにして、必要な適正濃度を得られるレーザパワーが決定できる。
【００５６】
（７）  決定したレーザパワーを４００ｄｐｉ用不揮発性メモリ９３に格納する。
【００５７】
（８）  ６００ｄｐｉが選択された場合は、図８のプロセスの構成に示すように４００ｄｐｉ用不揮発性メモリ９３から、値を選択し、予め定められたオフセット値を加減する。
【００５８】
（９）  図８の点線で示すようにオフセット値入力による解像度変換手段９４で、オフセット値を加減して６００ｄｐｉのレーザビームの出力にし、その情報をレーザビームの出力調節手段３６に送って定常の画像作成に使用する。
【００５９】
（１０）  以上とは別に、４００ｄｐｉのレーザビームの出力を変化させて画像パッチを感光体２１上に作成した後、現像することなく、図８に示すように、潜像の状態で電位検出手段８５にて画像パッチの静電電位を読みとり、それが規定電位となるように、レーザビームの出力を制御、その後オフセット値を加減して６００ｄｐｉのレーザビームの出力としても良い。
【００６０】
この応用手段として、次の（１１）、（１２）、（１３）項に示すような特殊な使い方をすることもできる。
【００６１】
（１１）  ユーザー又はユーザーの意向を反映したサービスマンが選択した、オフセット値を入力して画像の濃度を加減する。
【００６２】
（１２）  オフセット値の選択手段は、テンキー入力でも良いし、濃度ボタン選択、ＤｉｐＳＷ選択等いずれでも良い。
【００６３】
（１３）  オフセット値を加減したレーザビームの出力にて任意の好みの濃度条件の画像作成に使用する。
【００６４】
上述のように構成した本発明の実施の形態の一例で分かるように、所望の解像度の画像パッチをレーザビームの出力を変えて複数個感光体上に形成させ、適正濃度に対応したレーザビームの出力を自動的に選定してこのレーザビームの出力に固定し、以後、その状態で決まるレーザビームのドット径が維持されることにより適正な画像濃度が維持され、定期的な濃度検定とそれによるレーザビームの出力の再固定を簡単に行えるので、その画像濃度は感光体の感度劣化やレーザ光学系の光路中の汚れやトナー物性の変化等の経時変化に殆ど関係なく良好な高画質を保持できる。しかもそのドット径は前記感光体上に形成された規定密度の画像パッチの平均濃度を測って選定することにより正確で簡単に決まるものである。また、感光体上の画像パッチの濃度選定の代わりに、未現像の状態で静電電位を測定して適正な静電電位を選定してレーザビームの出力を決めるようにしても良い。また、オフセット値を入力することにより別の解像度の画像への切り替えも精度良く簡単に行うことができるようになった。更にその操作により特殊濃度の画質を得ることも簡単にできるようになった。このような効果を纏めると下記のようになる。
【００６５】
【発明の効果】
（１）ＬＤのレーザビーム出力による、レーザ書き込み系の汚れ補正が可能で、常に一定の大きさのドットで適性濃度の画像が形成できる。
（２）ＬＤのレーザビーム出力により、現像特性の変化に対応したレーザビームのドット径補正が可能で、適正な画像の濃度に対応させて、常に一定の大きさのドットの画像が形成できる。
（３）ドットの大きさが一定に保てるため、トナー消費量も一定の割合に保てる。
（４）４００ｄｐｉ／６００ｄｐｉ個々にドット径を補正するため、それぞれに安定したドット径を保つことができる。
（５）４００ｄｐｉの補正値にて、レーザビーム出力を決め、６００ｄｐｉに対しては補正値をオフセット値として加えることで対応すれば、ドット径補正のための画像パッチを複数回作成して、トナー消費量、リサイクルトナー量を増やすことを防げるし、補正に必要な時間を短くすることができる。
（６）ユーザーの要望によるオフセット値を加えることにより、好みの任意の濃度条件の画質を下記のように得ることができる。即ち、
１）オフセット値をプラス側（レーザビームの出力アップ）にすると太い文字画像が得られる。また、濃度が濃い画像が得られる。
【００６６】
２）オフセット値をマイナス側（レーザビームの出力ダウン）にすると、細い文字画像が得られると共に、トナー消費量が抑えられる。
【図面の簡単な説明】
【図１】本発明の画像形成装置の全体の構成を示す概要構成図である。
【図２】本発明の画像形成装置における感光体周りの構成を示す正面図である。
【図３】本発明の画像形成装置における感光体周りの濃度検出手段及び電位検出手段の配置を示す上面図である。
【図４】中間調におけるレーザビーム出力と適性画像濃度との関係を示すグラフである。
【図５】画像形成装置のセンサ感度と画像濃度との関係を示すグラフである。
【図６】４００ｄｐｉの解像度における中間調の規定画素密度の画像パッチを示す模式図である。
【図７】６００ｄｐｉの解像度における中間調の規定画素密度の画像パッチを示す模式図である。
【図８】感光体上の画像パッチの濃度検出又は静電電位検出に基づきレーザビームの出力を調節して適正画像を得るプロセスを示すブロック図である。
【符号の説明】
２１  感光体
２２  帯電器
２３  現像器
２４  転写器
２５  分離器
２６  クリーニング手段
２６Ａ  クリーニングブレード
２７  除電ランプ（ＰＣＬ）
３０  書込手段（露光光学系）
３６  レーザビームの出力調節手段
３６Ａ  レーザダイオード
８０  濃度検出手段（濃度コントロール用センサ）
８５  電位検出手段
９０  画像パッチ作成手段
９２  ＣＰＵ
９３  不揮発性メモリ
９４  オフセット値入力による解像度変換手段
【図１】
0004281936.tif 000002
【図２】
0004281936.tif 000003
【図３】
0004281936.tif 000004
【図４】
0004281936.tif 000005
【図５】
0004281936.tif 000006
【図６】
0004281936.tif 000007
【図７】
0004281936.tif 000008
【図８】
0004281936.tif 000009